(57)【要約】【課題】  前身頃と後身頃を接続する縫合線による肌への摩擦、過度の圧迫感、ライン跡が残る、等の着用時における不快感を解消したブラジャーを提供する。【解決手段】  前身頃１と後身頃２をそれぞれの下縁側を対向させる形で連続して一枚の布地で形成し、その基本布地９上に、前身頃１と後身頃２が対向する方向に直交する境界Ｘを引き、その境界Ｘ上の二点から前身頃１、後身頃２それぞれの側にその二点を両端とする円弧状の曲線５、６を定め、両曲線を併せた一つの閉曲線を縫製後の着用口７としてその部分をカットする。以上のように立体裁断された基本布地９において、アームホール３の上縁部３Ｃ及び４の上縁部４Ｃと、後身頃２の上縁部２ｄを縫い合わせて接続することにより完成したブラジャーは、脇部８に縫合線がないものとなる。【選択図】図１
2005314856.tif 000002
【特許請求の範囲】
【請求項１】
前身頃と後身頃とアームホールから成るブラジャーにおいて、前身頃と後身頃をそれぞれの下縁側を対向させる形で連続して一枚の布地で形成し、その布上に前記前身頃と後身頃が対向する方向に直交する向きに、前身頃と後身頃の直線状の境界を引き、その境界上の二点から前身頃、後身頃それぞれの側にその二点を両端とする円弧状の曲線を定め、両曲線を併せた一つの閉曲線に沿って布地を立体裁断し、その布地の前身頃と後身頃の上縁側がアームホールを介して接続したことを特徴とするブラジャー。
【請求項２】
請求項１に記載のブラジャーにおいて、経編みの生地、丸編みの生地にかかわらず、また、柄を施したレース、柄なしのストレッチ生地等、全ての広巾の素材を、上記前身頃と後身頃が連続して一枚の布地で形成したことにより、一体型で脇部に縫合線のないことを特徴とするブラジャー。
【請求項３】
前身頃と後身頃それぞれの下縁側、つまりアンダー部分に、レース機械のピエゾジャカード組織を使用し、パワー切り替えでこの部分にパワーを持たせた上、付帯加工としてカップ部分にモールド加工を施されている請求項１に記載のブラジャー。
【発明の詳細な説明】
【技術分野】
【０００１】  本発明は、ブラジャー、ブラジャータイプのトップス下着に関する。
【背景技術】
【０００２】  既存のブラジャーの一例としてソフトブラタイプのトップス下着を取り上げると、それは一般に縫製前の形状として、図３に示すように、前身頃１１と前身カップ部１２、前身カップ台部１３、前立て１４、後身頃１５の複数の布片より成り、前身頃１１は前身カップ部１２、前身カップ台部１３、前立て１４とそれぞれ縫合部を有し、上縁部１９ａは後身頃１５の一端の縁部１９ｂと対応し、後身頃１５との縫合部となっている。
また、前身カップ台部１３の端部に、直線状に連続して脇部を形成する１７ａが設けられ、後身頃１５における１７ｂと対応して脇部の縫合部となっている。【０００３】  他方、後身頃１５は、上縁部１９ｂに、前記前身頃１１における１９ａに対応する縫合部を有する。そして、端部に直線状に連続して脇部を形成する１７ｂが設けられ、前身カップ台部１３における１７ａと対応して脇部の縫合部となっている。【０００４】  一般にブラジャーは、以上のような縫製前の形状の複数に及ぶ布片を縫い合わせて接続することにより形成され、その接続部は縫合線を有することとなる。図４に、その完成状態のものを正面図と背面図で示す。【０００５】  そこで従来より、前身頃と後身頃を接続する縫合線による着用時の不快感を抑えるために、いくつかの提案がなされている。【０００６】  例えば、特開平１０−３１０９０７号公報や、特開２００２−３０９４０５号公報では、胸部を覆う前身頃と背中部を覆う後身頃とが一続きの環状生地によって形成されることにより、脇部に縫合線が入らず、それまでより着用感に優れたブラジャーが提案されている。【０００７】  また、特開２００３−２２１７０５号公報では、成形の丸編機を使用し、乳房部の乳首周辺の頂上部に相当する範囲が平面的な二次元形状で、頂上部周囲から乳房の基底部までの範囲が立体的な三次元形状を具備する、脇部に縫合線がないスポーツブラタイプのものがある。
【特許文献１】特開平１０−３１０９０７号  公報
【特許文献２】特開２００２−３０９４０５号  公報
【特許文献３】特開２００３−２２１７０５号  公報
【発明の開示】
【発明が解決しようとする課題】
【０００８】  まず、前身頃１１と前身カップ部１２、前身カップ台部１３、前立て１４、後身頃１５の裁断時の形状とそれに基づく接続仕様が上記のようであると、縫製されたブラジャーには図４に示すように、前身カップ台部１３の端部１７ａ及び後身頃１５における１７ｂによる脇部の縫合部が存在するので、着用時にその接続部の縫合線が素肌に触れる、肌へ摩擦による擦れを生じる、ライン跡が残る、等の不快感を与えるという不具合がある。【０００９】  次に、特開平１０−３１０９０７号公報、特開２００２−３０９４０５号公報及び特開２００３−２２１７０５号公報に示す従来のブラジャーは、脇部やカップ廻りに縫合線をなくし、又は少なくし、着用感をよくするべく改善されている。しかし、いずれも丸編みの生地に限り作ることができるものの、経編みの生地、柄を施したオールオーバーレースや、環状ではない広巾のストレッチ生地等では同様のものが作れないという問題があった。【００１０】  本発明は、係る実情に鑑みて、既存の縫製仕様のブラジャーにおける不具合を解消しようとするものであり、全ての生地、レースについて、編み方、組成、柄の有無にかかわらず、一体型で脇部に縫合線をなくし、着用感に優れたブラジャーを提供することを目的とするものである。
【課題を解決するための手段】
【００１１】  上記の目的を達成するために、本発明は、前身頃と後身頃とアームホールから成るブラジャーにおいて、前身頃と後身頃をそれぞれの下縁側を対向させる形で連続して一枚の布地で形成し、その布上に前記前身頃と後身頃が対向する方向に直交する向きに、前身頃と後身頃の直線状の境界を引き、その境界上の二点から前身頃、後身頃それぞれの側にその二点を両端とする円弧状の曲線を定め、両曲線を併せた一つの閉曲線に沿って布地を立体裁断し、その布地の前身頃と後身頃の上縁側がアームホールを介して接続したことを特徴とするブラジャーを第一の主旨とする。【００１２】  次に、上記ブラジャーにおいて、経編みの生地、丸編みの生地にかかわらず、また、柄を施したレース、柄なしのストレッチ生地等、全ての広巾の素材を、上記前身頃と後身頃が連続して一枚の布地で形成したことにより、一体型で脇部に縫合線のないことを特徴とするブラジャーを第二の主旨とする。【００１３】  また、本発明は、その中でも特に、前身頃と後身頃それぞれの下縁側、つまりアンダー部分に、レース機械のピエゾジャカード組織を使用し、パワー切り替えでこの部分にパワーを持たせた上、付帯加工としてカップ部分にモールド加工を施されているブラジャーを第三の主旨とする。
【発明の効果】
【００１４】  上述したように、本発明によるブラジャーには、前身頃と後身頃の縫合線が脇部に形成されることがないので、既存製法のようにその部分に縫合線があったものと比べ、着用時の不快感がないことから、より着用感に優れたブラジャーを提供することができる。【００１５】  また、全ての生地、レースについて、編み方、組成、柄の有無にかかわらず適用可能であることから、どのような素材、デザインにも対応できるため、幅広いニーズに応えられるという効果を発揮する。
【発明を実施するための最良の形態】
【００１６】  以下図１〜図２に本発明の実施の形態を示し、従来例と同一部分については説明を省略する。【００１７】  第一の実施形態のブラジャーの縫製前の裁断片は、上記したように、前身頃と後身頃が連続した一枚ものとして裁断されるが、その全体の輪郭は図１に示すように、図の縦方向の一点鎖線Ｙを対称軸として左右対称となった気球形状をなしている。その対称軸Ｙの途中の、それに直交して左右方向に走る一点鎖線Ｘで仕切られた上側の部分が縫製後に前身頃１となる部分、下側の部分が後身頃２となる部分である。そして、前身頃１、後身頃２のこの境界Ｘ側がそれぞれの下縁側、つまりアンダー部で、３及び４はそれぞれ前身頃１、後身頃２を接続するアームホールとなっている。【００１８】  また、前記前身頃１、後身頃２との境界Ｘを境にしてその上側と下側、すなわち前身頃１側と後身頃２側に、その境界Ｘ上に共通に両端を有する円弧状の曲線５と６が定められており、その両曲線５、６を繋いで形成される閉曲線に沿って楕円状の穴７が空けられている。この楕円状の穴７は縫製後、アンダー部着用口周縁となるものである。以下、このような形状に裁断された裁断片を基本布地９と称して説明する。【００１９】  この実施形態のブラジャーは、以上のような形状に裁断された基本布地９において、アームホール３の上縁部３Ｃ及び４の上縁部４Ｃと、後身頃２の上縁部２ｄを縫い合わせて接続し、以下のように縫製される。【００２０】  先ず、図２のＢに示すように、前記基本布地９の後身頃２の上縁部２ｄとそれに対応するアームホール３の上縁部３Ｃとを縫い合わせて接続し、続いて、後身頃２の他端の縁部２ｄと基本布地９のアームホール４の上縁部４Ｃとを縫い合わせて接続する。図２のＡに示す完成したブラジャーには一点鎖線で示した脇部８に縫合線がないものとなる。【００２１】  この実施形態では、アームホール３の方を先に後身頃２と接続したが、アームホール４の方を先に接続しても支障はなく、接続の順番は本発明の要点ではない。【００２２】  この実施形態のブラジャーの基本的な縫製仕様は以上述べた通りであり、最終的な製品に仕上げるには、着用口７に伸縮性のあるレースやゴム紐を取り付けたり、アームホールを含む外周部分に飾り縁やマイクロテープ、ゴム紐等を取り付けたりする工程も経なければならないし、アームホール以外の脇くりに縫製時微調整をする必要があるが、これらのことは公知の事柄であり、前述のアームホールの接続の場合と同様、本発明の要点ではないので、これらの工程との関わりでこの実施形態のブラジャーの作製を説明することは省略する。【００２３】  本発明は、出来上がったブラジャーの脇部８に縫合線がない形にし、それによってその縫合線が存在する場合の前述のような不快感をなくすことを目的とするものであり、そのために基本布地９を上記のような裁断形状にして脇部８に接続部をなくし、裁断片の接続はアームホール３、４と後身頃２の上縁部２ｄとの接続だけにしたので、脇部８には縫合線が存在せず、着用感に優れ心地よいものとなるのである。【００２４】  第二の実施形態では、図２に示すように、前記第一の実施形態で前身頃１と後身頃２それぞれの下縁側、つまりアンダー部分の下縁から０．０４ｍに渡り、パワー切り替えでこの部分にパワーを持たせたレース機械のピエゾジャカード組織を使用した上、付帯加工として一点鎖線で示したカップ部分１０にモールド加工を施したもので、これにより更に自然な着用感を得ることができる。【００２５】  第二の実施形態の他の内容については、第一の実施形態と同様であり、重複する説明は省略する。この実施形態でも勿論、出来上がったブラジャーはその脇部に縫合線がなく、着用感に優れ心地よいものとなる。【００２６】  なお、以上の実施形態ではソフトタイプブラジャーを例に挙げて説明したが、本発明はこれに限られるものではなく、スポーツブラやチューブトップ等、他のトップス下着にも適用可能である。
【図面の簡単な説明】
【００２７】
【図１】本発明の実施形態を示す平面図
【図２】本発明の縫製工程を示すＡ斜視図とＢ背面図
【図３】従来例を示す展開図
【図４】従来例の縫製工程を示すＡ斜視図とＢ背面図
【符号の説明】
【００２８】１                              前身頃
２                              後身頃
１ａ、２ｂ                      側縁
３、４                          アームホール
２ｄ、３ｃ、４ｃ                上縁
５，６                          下縁
７                              穴（着用口）
８                              脇部
９                              基本布地
１０                            カップ部分
Ｘ                              境界線
Ｙ                              対称軸
１１、１２                      前身カップ部
１３                            前身カップ台部
１４                            前立て部
１５                            後身頃
１６ａ、１６ｂ、１６ｃ、１６ｄ  アームホール部
１７ａ、１７ｂ                  脇部
１８ａ、１８ｂ                  アンダー部
１９ａ、１９ｂ                  肩接合部
【図１】
2005314856.tif 000003
【図２】
2005314856.tif 000004
【図３】
2005314856.tif 000005
【図４】
2005314856.tif 000006